(57)【要約】      （修正有）【課題】構造が簡単で、操作が容易なパソコンテーブル折畳み構造を提供する。【解決手段】後端に、連接孔が設置され、前端に、凹溝が形成され、中間に、スライドレールが設置される左右側枠と、両端にある連接枢着部材を連接孔に挿入して連接ボルトを貫設することにより、可動的になる裏側枠と、正面に、凹溝に挿入されて係合される係止部材が設置され、裏面に、ノブにより裏側枠に固定されるロック部材が設置される卓板と、可動的にスライドレールに挿入される引出し板と、左右側枠に掛けられるホックが設置され、パソコンを載せる台車と、を含有する。【選択図】図１
0003163577.tif 000002
【実用新案登録請求の範囲】
【請求項１】
パソコン等の設備を載せる枠フレームと、
後端に、連接孔が穿設され、前端に、凹溝が形成され、中間に、スライドレールが設置される左右側枠と、
両端に設けた連接枢着部材を連接孔に挿入して連接ボルトを貫設することにより、可動自在になる裏側枠と、
正面に、凹溝に挿入されて係合される係止部材が設置され、裏面に、ノブにより裏側枠に固定されるロック部材が設置される卓板と、
可動自在にスライドレールに挿入される引出し板と、
左右側枠に掛けられるホックが設置され、パソコンを載せる台車と
からなる
ことを特徴とするパソコンテーブル折畳み構造。
【請求項２】
左右側枠の側辺に、凹溝が形成され、中間部に設けた連接条により裏側枠にノブでロックされて固定され、両端に、凹溝に挿入され、係合される突出部を形成した連接フレームが設置されることを特徴とする請求項１に記載のパソコンテーブル折畳み構造。
【考案の詳細な説明】
【技術分野】
【０００１】
本考案は、パソコンテーブル折畳み構造に関するものであり、さらに詳しくは、構成が簡単で、操作が容易であるパソコンテーブル折畳み構造に関するものである。
【背景技術】
【０００２】
パソコン等の設備を設置するには、通常、殆んど、組合せ式を利用しているが、大きい設置空間を要するものである。また、一般のパソコンテーブルは、組立て式である場合、組合わせる部分が多く、一つの部材やネジの取扱いを間違うと、組立てることができない場合が多い。さらに、折畳み構造を有しないものも多く利用されているが、かかる構造のものは、運送コストが高くなり、また、積荷の体積が高くなるので、運搬に人力やコストが掛かるという問題が指摘されている。かかる状況下において、折畳み式車内パソコンテーブルが提案されているが、運転者が運転席で楽な姿勢で操作できるようにしたものであり、折畳みテーブルの小容積化については未だ改良が十分ではなかった。
【特許文献１】特開２００１−２４６９７４号公報
【考案の開示】
【考案が解決しようとする課題】
【０００３】
従って、本考案の主な課題は、パソコンテーブルを、より小さい体積に折畳むことができ、運送コストを低減でき、組立てや折畳みが、より容易な操作で可能なパソコンテーブル折畳み構造を提供する点にある。
【０００４】
また、本考案の他の課題は、多用途を有するパソコンテーブル折畳み構造を提供することにある。
【課題を解決するための手段】
【０００５】
そこで、本考案者は、前記の本考案の課題を解決するため鋭意検討を重ねた結果、後述するように、各種の枢着部材を設けることにより、小型化等の前記課題を解決でき、また、多用途可能であることに着目し、本考案に想到した。
【０００６】
すなわち、本考案によれば、様々な枢着部材を設けることにより、パソコンテーブルを、より小さい体積になるように折畳むことができ、運送コストを低減できるパソコンテーブル折畳み構造を提供するものである。
【０００７】
また、本考案によれば、左右側枠の側辺に、凹溝が形成され、中間に設けた連接条により裏側枠にノブでロックされて固定され、両端に、凹溝に挿入され、係合される突出を形成した連接フレームを設置することにより多用途に利用可能なパソコンテーブル折畳み構造を提供するものである。
【０００８】
かくして、請求項１の考案によれば、パソコン等の設備を載せる枠フレームと、後端に、連接孔が穿設され、前端に、凹溝が形成され、中間に、スライドレールが設置される左右側枠と、両端に設けた連接枢着部材を連接孔に挿入して連接ボルトを貫設することにより、可動自在になる裏側枠と、正面に、凹溝に挿入されて係合される係止部材が設置され、裏面に、ノブにより裏側枠に固定されるロック部材が設置される卓板と、可動自在にスライドレールに挿入される引出し板と、左右側枠に掛けられてパソコンを載せるホックが設置される台車とからなることを特徴とするパソコンテーブル折畳み構造が提供される。
【０００９】
また、請求項２の考案によれば、左右側枠の側辺に、凹溝が形成され、中間部に設けた連接条により裏側枠にノブでロックされて固定され、両端に、凹溝に挿入され、係合される突出部を形成した連接フレームが設置されることを特徴とする請求項１に記載のパソコンテーブル折畳み構造が提供される。
【考案の効果】
【００１０】
本考案に係るパソコンテーブルの折畳み構造は、前記の如き構成からなり、簡便な操作でより小さい体積になるように折畳むことができるので運送コストを低減することができる。また、多用途に用いることができる。
【考案を実施するための最良の形態】
【００１１】
以下、図面を参照しながら、本考案の特徴や技術内容について、詳しく説明する。もっとも、それらの図面等は、参考や説明のためであり、本考案は、それらによって限定されるものではない。
【００１２】
図１〜図６に示すように、本考案に係るパソコンテーブル折畳み構造は、パソコン等の設備を載せる枠フレーム１と、後端に、連接孔１１１が穿設され、前端に、凹溝１１２が形成され、中間に、スライドレール１１３が設置される左右側枠１１と、両端に設けた連接枢着部材１２１を連接孔１１１に挿入して連接ボルト１２２を貫設することにより可動自在になる裏側枠１２と、正面に、凹溝１１２に挿入されて係合される係止部材１３１が設置され、裏面に、ノブ１４により裏側枠１２に固定されるロック部材１３２が設置される卓板１３と、可動自在にスライドレール１１３に挿入される引出し板１５と、左右側枠１２に掛けられるホック１６１が設置され、パソコンを載せる台車１６とから構成される。
【００１３】
左右側枠１１の後端に設けた連接孔１１１に、それぞれ、裏側枠１２の連接枢着部材１２１を挿入して、連接１２２を貫設することにより取り付けられる。その後、卓板１３の係止部材１３１を、それぞれ、凹溝１１２に挿入して、後へ摺動させることにより、係合されて位置付けられる。
【００１４】
また、ノブ１４で、ロック部材１３２を裏側枠１２にロックして固定される。最後に、引出し板１５を左右側枠１１のスライドレール１１３に挿入して、パソコンホストを台車１６に載せればよい。折畳む時、ノブ１４を弛めてから、卓板１３を前へひくと、係止部材１３１が凹溝１１２から脱離して、外される。そして、左右側枠１１を内側へ折畳むだけでよく、このような設計によれば、構造が簡単で、組立てや折畳みが容易になり、運送コストも低減することができる。
【００１５】
図７に示すように、左右側枠１１の側辺に、凹溝１１４が形成され、中間部に設けた連接条２２により裏側枠１２にノブ１４でロックされて固定され、両端に、凹溝１１４に挿入され、係合される突出２１を形成した連接フレーム２が設置されても良い。このような構造によれば、多用途に用いられるパソコンテーブルを提供することができる。
【００１６】
以上は、本考案のより良い実施形態であり、本考案は、それらによって限定されるものでは無く、本考案に係わる実用新案登録請求の範囲や明細書の内容に基づいてされた均等範囲の変更や修正は、全てが、本考案の範囲内に属することは明らかである。
【図面の簡単な説明】
【００１７】
【図１】本考案の一実施形態によるパソコンテーブルの分解斜視図である。
【図２】本考案の一実施形態によるパソコンテーブルの左右側枠と裏側枠を組立てる状態を示す概念図である。
【図３】本考案の一実施形態によるパソコンテーブルの卓板を組立てる状態の平面断面概念図である。
【図４】本考案の一実施形態によるパソコンテーブルの卓板を組立てる状態の断面局部概念図である。
【図５】本考案の一実施形態によるパソコンテーブルの斜視図である。
【図６】本考案を一実施形態によるパソコンテーブルの折畳む時の作動概念図である。
【図７】本考案の他の実施形態によるパソコンテーブルの斜視図である。
【符号の説明】
【００１８】
１  枠フレーム
１１  左右側枠
１１１  連接孔
１１２  凹溝
１１３  スライドレール
１１４  凹溝
１２  裏側枠
１２１  連接枢着部材
１２２  連接
１３  卓板
１３１  係止部材
１３２  ロック部材
１４  ノブ
１５  引出し板
１６  台車
１６１  ホック
２  連接フレーム
２１  突出
２２  連接条
【図１】
0003163577.tif 000003
【図２】
0003163577.tif 000004
【図３】
0003163577.tif 000005
【図４】
0003163577.tif 000006
【図５】
0003163577.tif 000007
【図６】
0003163577.tif 000008
【図７】
0003163577.tif 000009